(57)【要約】【課題】液体特性の劣化を抑制するとともに、加圧することなく液体を最後まで供給することが可能な液体収容体及び液体噴射装置を提供する。【解決手段】インクカートリッジ２１は、定形性を有する本体ケース２２と、該本体ケース２２内に支持された可撓性を有するインクパック２３とを備える。インクパック２３は、内部にインクを収容する相対的に弾性復元力の小さい袋状の内側パック２６と、相対的に弾性復元力が大きく且つガスバリア性及び水蒸気バリア性に優れた材料で袋状に形成され、内側パック２６を大気から遮断するように該内側パック２６の外側に配設される外側パック２７とを備える。外側パック２７は、内側パック２６に接合される接合部２７ｃと、本体ケース２２に脱離可能に取着される取着部２７ａとを有する。取着部２７ａは、インクの残量が僅かな量になったときに引っ張り力を受けて本体ケース２２から脱離される。【選択図】図２
2008012762.tif 000002
【特許請求の範囲】
【請求項１】
定形性を有する本体ケースを備え、該本体ケースに液体が収容された可撓性を有する液体収容部材を支持した液体収容体であって、
前記液体収容部材は、内部に液体を収容する相対的に弾性復元力の小さい袋状の第１可撓性部材と、該第１可撓性部材よりも相対的に弾性復元力が大きく且つガスバリア性及び水蒸気バリア性に優れた材料で袋状に形成され、前記第１可撓性部材を大気から遮断するように該第１可撓性部材の外側に配設される第２可撓性部材とを備え、
該第２可撓性部材は、前記第１可撓性部材に対して積層状態に接合される接合部と、前記第１可撓性部材からは離間した状態で前記本体ケースに対して脱離可能に取着される取着部とを有し、
該取着部は、前記液体の残量が所定量以下になったときにおける前記第１可撓性部材の容積減少に伴って該第１の可撓性部材から前記接合部を介して前記第２可撓性部材に加えられる引っ張り力により前記本体ケースから脱離されることを特徴とする液体収容体。
【請求項２】
前記第２可撓性部材は、前記接合部から見て前記取着部とは反対側となる部位に前記本体ケースに対して脱離不能に固着される固着部を有していることを特徴とする請求項１に記載の液体収容体。
【請求項３】
前記第１可撓性部材には該第１可撓性部材内から前記液体を導出するための導出口が前記本体ケースに支持されるように設けられており、前記取着部は前記固着部よりも前記導出口に近い側に位置していることを特徴とする請求項２に記載の液体収容体。
【請求項４】
前記第１可撓性部材には該第１可撓性部材内から前記液体を導出するための導出口が前記本体ケースに支持されるように設けられており、前記取着部は前記固着部よりも前記導出口から遠い側に位置していることを特徴とする請求項２に記載の液体収容体。
【請求項５】
前記取着部は前記第１可撓性部材に連結部材を介して連結されており、該連結部材を介して伝達される前記引っ張り力により前記取着部は前記本体ケースから脱離されることを特徴とする請求項１〜請求項４のうちいずれか一項に記載の液体収容体。
【請求項６】
請求項１〜請求項５のうちいずれか一項に記載の液体収容体が着脱自在に装着されるとともに、該液体収容体から供給される液体を噴射する液体噴射ヘッドを備えたことを特徴とする液体噴射装置。
【発明の詳細な説明】
【技術分野】
【０００１】
本発明は、例えばインクジェット式プリンタ等の液体噴射装置及びこれに装着される液体収容体に関する。
【背景技術】
【０００２】
従来、記録ヘッド（液体噴射ヘッド）からインク（液体）をターゲットに対して噴射する液体噴射装置として、インクジェット式プリンタ（以下、単に「プリンタ」と言う）が知られている（例えば、特許文献１）。こうしたプリンタでは、通常、プリンタの所定箇所にインクカートリッジ（液体収容体）を着脱可能に装着し、そのインクカートリッジ内に収容された可撓性を有するインクパック（液体収容部材）を加圧ポンプにより加圧することで、インクパック内に充填されたインクを記録ヘッドへ圧送するようにしている。
【０００３】
このインクパックは、例えばポリエチレンフィルムにアルミニウムを蒸着したアルミラミネートフィルムにより構成されている。そして、このように構成されたアルミラミネートフィルムの場合は、一般に、ガスバリア性及び水蒸気バリア性に優れるため、インクパック内のインクが、そのインク特性を劣化させることなく、加圧ポンプの駆動に基づき記録ヘッド側へ供給されるようになっている。
【特許文献１】特開２００４−２９１２４６号公報
【発明の開示】
【発明が解決しようとする課題】
【０００４】
ところで、上記したようなプリンタの中には、インクパックを加圧するための加圧ポンプを持たないものもある。この場合は、インクパックが収容されるインクカートリッジ内を大気に開放した状態とし、その状態において記録ヘッドからインクが噴射される際に記録ヘッド側で発生する負圧により、インクパック内から記録ヘッド側へインクが供給されるようにしている。
【０００５】
しかしながら、こうした加圧ポンプを持たないプリンタにおいて、アルミラミネートフィルム製のインクパックを用いた場合、インクパック内のインク残量が僅かになると、インクパックが大きく潰れた状態になる。このような状態になると、アルミラミネートフィルムは弾性復元力が大きいため、該弾性復元力により、インクパックが潰れる前の元の状態に戻ろうとする。このため、逆にインクパック内に負圧が発生して、該インクパック内のインクを最後まで記録ヘッドに供給することが困難であった。
【０００６】
その一方、こうしたインクパックの弾性復元力を抑えるためには、アルミニウムを蒸着していないポリエチレンフィルムでインクパックを構成するということも考えられる。しかし、そのようにした場合には、ガスバリア性及び水蒸気バリア性が不足してインクパック内のインク特性が劣化し、プリンタとしての信頼性や印字品質が低下するおそれがあった。
【０００７】
本発明は、このような従来技術に存在する問題点に着目してなされたものである。その目的とするところは、液体特性の劣化を抑制するとともに、加圧することなく液体を最後まで供給することが可能な液体収容体及び液体噴射装置を提供することにある。
【課題を解決するための手段】
【０００８】
上記目的を達成するために、本発明の液体収容体は、定形性を有する本体ケースを備え、該本体ケースに液体が収容された可撓性を有する液体収容部材を支持した液体収容体であって、前記液体収容部材は、内部に液体を収容する相対的に弾性復元力の小さい袋状の第１可撓性部材と、該第１可撓性部材よりも相対的に弾性復元力が大きく且つガスバリア性及び水蒸気バリア性に優れた材料で袋状に形成され、前記第１可撓性部材を大気から遮断するように該第１可撓性部材の外側に配設される第２可撓性部材とを備え、該第２可撓性部材は、前記第１可撓性部材に対して積層状態に接合される接合部と、前記第１可撓性部材からは離間した状態で前記本体ケースに対して脱離可能に取着される取着部とを有し、該取着部は、前記液体の残量が所定量以下になったときにおける前記第１可撓性部材の容積減少に伴って該第１の可撓性部材から前記接合部を介して前記第２可撓性部材に加えられる引っ張り力により前記本体ケースから脱離される。
【０００９】
第１可撓性部材内の液体の残量が、所定量以下（例えば、液体が空になる直前の僅かな量）になったときには、液体収容部材が大きく潰れた状態（第１可撓性部材の容積が大きく減少した状態）となる。この状態では、液体収容部材が外部から加圧されていないと、特に相対的に弾性復元力が大きい第２可撓性部材の弾性復元力により、第２可撓性部材のみならず第１可撓性部材までもが潰れる前の元の状態に戻ろうとして第１可撓性部材内に負圧が発生してしまい、液体を供給する（つまり、液体収容部材外へ導出する）ことが困難になる。
【００１０】
しかしながら、この発明によれば、第１可撓性部材内の液体の残量が所定量以下（例えば、液体が空になる直前の僅かな量）になったときには、このときの第１可撓性部材の容積減少に伴って第２可撓性部材が接合部を介して第１可撓性部材により容積が減少する方向へ引っ張られる。そして、このときに第２可撓性部材は容積減少方向に加えられる引っ張り力により取着部が本体ケースから脱離されるため、その脱離時点から相対的に弾性復元力が大きい第２可撓性部材の弾性復元力が無効化される。なお、この場合、第２可撓性部材の取着部が本体ケースから脱離されると、その脱離時点から第１可撓性部材は大気に晒されることになるため、第１可撓性部材内の液体の特性が劣化することも危惧される。しかし、その時点では第１可撓性部材内の液体量は僅かであるので、該液体の特性が多少劣化するようなことがあっても、その影響は軽微なもので済む。したがって、液体特性の劣化を抑制するとともに、加圧することなく液体を最後まで供給することが可能となる。
【００１１】
本発明の液体収容体において、前記第２可撓性部材は、前記接合部から見て前記取着部とは反対側となる部位に前記本体ケースに対して脱離不能に固着される固着部を有している。
【００１２】
この発明によれば、第１可撓性部材の容積減少に伴って第２可撓性部材が接合部を介して容積減少方向へ引っ張られる際に、力点となる接合部に対して固着部が支点となり、作用点となる取着部に対して引っ張り力を効果的に加えることができるようになる。また、本体ケースに対して液体収容部材を取着部と固着部の二点で支持できるため、本体ケースに液体収容部材を安定して支持することが可能となる。
【００１３】
本発明の液体収容体において、前記第１可撓性部材には該第１可撓性部材内から前記液体を導出するための導出口が前記本体ケースに支持されるように設けられており、前記取着部は前記固着部よりも前記導出口に近い側に位置している。
【００１４】
この発明によれば、第１可撓性部材内の液体の残量が所定量以下（例えば、液体が空になる直前の僅かな量）になったとき、液体収容部材における第１可撓性部材は少なくとも導出口から遠い側が大きく潰れた状態となっているため、導出口から第１可撓性部材内の液体を円滑に導出させることが可能となる。
【００１５】
本発明の液体収容体において、前記第１可撓性部材には該第１可撓性部材内から前記液体を導出するための導出口が前記本体ケースに支持されるように設けられており、前記取着部は前記固着部よりも前記導出口から遠い側に位置している。
【００１６】
この発明によれば、製品としての液体収容体の設計の自由度が増す。
本発明の液体収容体において、前記取着部は前記第１可撓性部材に連結部材を介して連結されており、該連結部材を介して伝達される前記引っ張り力により前記取着部は前記本体ケースから脱離される。
【００１７】
この発明によれば、連結部材の長さを変更することで、第２可撓性部材の取着部が本体ケースから脱離されるタイミングを自由に調節することが可能となる。
本発明の液体噴射装置は、上記構成の液体収容体が着脱自在に装着されるとともに、該液体収容体から供給される液体を噴射する液体噴射ヘッドを備えた。
【００１８】
この発明によれば、液体収容体に収容された液体の残量が所定量以下（例えば、液体が空になる直前の僅かな量）になった場合にも、液体特性の劣化を抑制しつつ加圧することなく液体を最後まで液体収容体側から液体噴射ヘッドに供給することが可能となる。
【発明を実施するための最良の形態】
【００１９】
以下、本発明を、インクジェット式プリンタ及びこのプリンタに装着されるインクカートリッジに具体化した一実施形態を図面に基づいて説明する。なお、以下の説明において、「前後方向」、「左右方向」、「上下方向」をいう場合は図１に矢印で示す前後方向、左右方向、上下方向をそれぞれ示すものとする。
【００２０】
図１に示すように、液体噴射装置としてのインクジェット式プリンタ１１は、平面視矩形状をなす本体フレーム１２を備えるとともに、該本体フレーム１２内にはプラテン１３が主走査方向となる左右方向に沿って延びるように架設されている。このプラテン１３上には、図示しない紙送り機構によりターゲットとしての記録用紙（図示略）が副走査方向となる前後方向に沿って給送されるようになっている。また、本体フレーム１２内には、プラテン１３の長手方向（左右方向）と平行に棒状のガイド軸１４が架設されている。
【００２１】
このガイド軸１４には、キャリッジ１５が、該ガイド軸１４の軸線方向（左右方向）への往復移動可能な状態で支持されている。キャリッジ１５は、本体フレーム１２の後壁内面に設けられた一対のプーリ１６ａ間に張設された無端状のタイミングベルト１６を介して本体フレーム１２の背面に設けられたキャリッジモータ１７に連結されている。したがって、キャリッジ１５は、キャリッジモータ１７の駆動により、ガイド軸１４に沿って往復移動されるようになっている。
【００２２】
キャリッジ１５におけるプラテン１３と対向する面側には、液体噴射ヘッドとしての記録ヘッド１８が搭載されている。また、キャリッジ１５上には、一時貯留した液体としてのインクを記録ヘッド１８に供給する複数（本実施形態では４つ）のバルブユニット１９が設けられている。記録ヘッド１８の下面には、図示しない複数のノズルが形成されており、これら各ノズルからプラテン１３上に給送された記録用紙（図示略）にインク滴が噴射されることにより、印刷が行われるようになっている。
【００２３】
本体フレーム１２内の右端部には、カートリッジホルダ２０が設けられるとともに、該カートリッジホルダ２０には、液体収容体としてのインクカートリッジ２１が着脱自在に複数個（本実施形態では４個）装着されている。カートリッジホルダ２０は、キャリッジ１５上の各バルブユニット１９とそれぞれインク供給チューブ２４を介して接続されている。そして、カートリッジホルダ２０に各インクカートリッジ２１をそれぞれ装着した場合には、各インクカートリッジ２１がインク供給チューブ２４を介して各バルブユニット１９とそれぞれ連通するようになっている。なお、本体フレーム１２内の右端部寄り位置であって、キャリッジ１５のホームポジションには、記録ヘッド１８のクリーニング等を行うためのメンテナンスユニット２５が配設されている。
【００２４】
次に、インクカートリッジ２１について詳述する。
図２に示すように、インクカートリッジ２１は、略直方体状の定形性を有する本体ケース２２と、該本体ケース２２内に収容状態となって支持される液体収容部材としてのインクパック２３とを備えている。本体ケース２２の前壁における上端部近傍には、該前壁を貫通する貫通孔２２ａが形成され、この貫通孔２２ａを介して本体ケース２２内は大気開放されている。また、本体ケース２２の後壁における略中央部には、該後壁を貫通するように支持孔２２ｂが形成されている。
【００２５】
一方、インクパック２３は、ポリエチレンフィルムにて袋状に形成され、内部にインクを収容（充填）した第１可撓性部材としての内側パック２６と、ポリエチレンフィルムにアルミニウムを蒸着したアルミラミネートフィルムにて袋状に形成され、内側パック２６の外側に配設された第２可撓性部材としての外側パック２７とを備えている。内側パック２６は、本体ケース２２内の略中央で前後方向に延びるように配置されているとともに、その後端部には本体ケース２２の後壁の支持孔２２ｂに支持された状態となって該内側パック２６内からインクを導出するための導出口２６ａが設けられている。
【００２６】
外側パック２７を構成するアルミラミネートフィルムは、内側パック２６を構成する単なるポリエチレンフィルムに比べて、ガスバリア性（ガス非透過性）及び水蒸気バリア性（水蒸気非透過性）が格段に優れているとともに、アルミニウムが蒸着されているが故に相対的に弾性復元力が大きくなっている。なお、仮にインクパック２３が内側パック２６のみで構成された場合には、ポリエチレンフィルムだけではガスバリア性及び水蒸気バリア性が不足するため、内側パック２６内に収容されているインク特性が劣化してしまうおそれがある。
【００２７】
外側パック２７は、該外側パック２７の袋口部となる後端が内側パック２６の外面から大きく離間した開口状態となって、内側パック２６全体を包むようにして本体ケース２２内に配設されている。そして、その配設状態において、外側パック２７は、その後端部全体が、対向する本体ケース２２の後端部における内面に対して脱離可能に取着（溶着）された取着部２７ａとされるとともに、その前端が本体ケース２２内の前壁中央に脱離不能に固着（溶着）された固着部２７ｂとされている。
【００２８】
したがって、本体ケース２２内において、内側パック２６は取着部２７ａが本体ケース２２の内面に取着された外側パック２７により大気から遮断されていることになる。そして、本体ケース２２内において、内側パック２６の外面と外側パック２７の内面との間の空間には、インクカートリッジ２１の組み立て時に自然に入る空気が存在している。なお、図２に示すように、外側パック２７において、その取着部２７ａは、固着部２７ｂよりも内側パック２６の導出口２６ａに近い側に位置している。
【００２９】
また、外側パック２７の取着部２７ａは、その外側パック２７に対して容積が減少する方向へ所定以上の大きさの引っ張り力が加わった場合に、本体ケース２２から脱離するようになっている。その一方、そのような引っ張り力により取着部２７ａが本体ケース２２から脱離した場合でも、外側パック２７の固着部２７ｂは本体ケース２２から脱離しないように強固に溶着されている。さらに、外側パック２７の前後方向の長さは、本体ケース２２内の前後方向の長さよりも長く設定されているため、その周壁は図２に示すように初期状態において弛んだ状態になっている。
【００３０】
また、外側パック２７は、その前端部全体が内側パック２６の前端部に重なった状態で接触しているとともに、その前端部以外の部分においては内側パック２６と離間している。この場合、外側パック２７の前端部における周壁は、内側パック２６に対して積層状態に接合（溶着）された接合部２７ｃとされている。したがって、外側パック２７は、接合部２７ｃから見て取着部２７ａとは反対側となる部位に固着部２７ｂを有していることになる。
【００３１】
次に、インクカートリッジ２１の動作について図１〜図４に基づいて説明する。
さて、インクカートリッジ２１がカートリッジホルダ２０に装着されている状態では、内側パック２６の導出口２６ａがインク供給チューブ２４に接続されるため、該インク供給チューブ２４を介して内側パック２６内とバルブユニット１９とが連通した状態になっている。この状態で記録ヘッド１８の各ノズルからインクが噴射されると、この噴射に伴って記録ヘッド１８側で負圧が発生し、該負圧により内側パック２６内からインク供給チューブ２４を介して記録ヘッド１８側へインクが供給される。
【００３２】
そして、内側パック２６内のインクが記録ヘッド１８側へ供給されると、図３に示すように、内側パック２６内のインク量が減少し、このインク量の減少に伴って内側パック２６の容積も減少する。内側パック２６の容積が減少すると、その容積減少に伴って外側パック２７が接合部２７ｃを介して内側パック２６の中央部側に（つまり、容積減少方向に）引っ張られる。そのため、その引っ張り力を受けて外側パック２７は潰れて弛みが小さくなり、さらに内側パック２６の容積が減少すると、外側パック２７はさらに潰れて弛みが無くなる（すなわち、外側パック２７はピンと張った状態になる）。
【００３３】
そして、図４に示すように、内側パック２６内のインクの残量が所定量以下（本実施形態では、満タン状態のインク量の１割以下の僅かな量）になるまで内側パック２６の容積が減少すると、このときの容積減少に伴う引っ張り力により、取着部２７ａが本体ケース２２から脱離する。すなわち、このように内側パック２６内のインクの残量が所定量以下になった場合に取着部２７ａが本体ケース２２から脱離するように、外側パック２７の弛み量及び取着部２７ａの本体ケース２２に対する取着強度が設定されている。なお、この場合のこれら弛み量及び取着強度の両値は、予め実験等によって求められる。
【００３４】
ここで、内側パック２６及び外側パック２７は、潰れ量が大きくなるほど、潰れる前の形状に戻ろうとする弾性復元力も大きくなる。特に、外側パック２７は、内側パック２６よりも弾性復元力が大きい。そのため、この外側パック２７の弾性復元力によって接合部２７ｃを介して外側パック２７に接合された内側パック２６までもが潰れる前の形状に戻ろうとする結果、内側パック２６内に負圧が発生してしまう。そして、内側パック２６内に発生する負圧が大きくなると、内側パック２６内のインクが記録ヘッド１８側に供給されなくなり、内側パック２６内のインクを最後まで使い切る（記録ヘッド１８側に供給する）ことが出来なくなるという不具合が生じる。
【００３５】
しかしながら、この点、本実施形態においては、内側パック２６内のインクの残量が所定量以下（僅かな量）になると、取着部２７ａが本体ケース２２から脱離するため、外側パック２７の弾性復元力が内側パック２６に対して作用しなくなる。このため、相対的に弾性復元力が小さい内側パック２６は、該内側パック２６内のインクの残量が所定量以下（僅かな量）になっても、潰れる前の形状に戻ろうとはしないため、該内側パック２６内に負圧が発生することもなくなる。したがって、内側パック２６内のインクの残量が所定量以下（僅かな量）になっても、該内側パック２６内のインクが記録ヘッド１８側に供給されるため、内側パック２６内のインクを最後まで使い切る（記録ヘッド１８側に供給する）ことが可能となる。
【００３６】
また、取着部２７ａが本体ケース２２から脱離すると、外側パック２７において袋口部を構成する後端開口が開放されるため、該開口を介して内側パック２６が大気に晒されるようになる。このため、ガスバリア性及び水蒸気バリア性に優れていないポリエチレンフィルムによって構成された内側パック２６内に収容されているインク特性が劣化することも危惧される。しかし、このときに内側パック２６内に残っているインク量は僅かな量であるため、たとえインク特性が劣化しても、その影響は極めて小さい。
【００３７】
以上詳述した実施形態によれば以下の効果を得ることができる。
（１）インクパック２３内のインクの残量が所定量以下（僅かな量）になったときには、内側パック２６の容積減少に伴って外側パック２７に加えられる引っ張り力により取着部２７ａが本体ケース２２から脱離されるため、相対的に弾性復元力が大きい外側パック２７の弾性復元力が無効化される。この場合、取着部２７ａが本体ケース２２から脱離されると、内側パック２６が大気に晒されて、内側パック２６内のインク特性が劣化する虞もあるが、このときには既に内側パック２６内のインク量は僅かであるので、該インク特性が多少劣化してもその影響は軽微なもので済む。したがって、インクパック２３内のインク特性の劣化を抑制することができるとともに、インクパック２３を加圧することなく該インクパック２３内のインクを最後まで記録ヘッド１８側に供給することができる。
【００３８】
（２）インクカートリッジ２１は、外側パック２７が、接合部２７ｃから見て取着部２７ａとは反対側となる部位に本体ケース２２に対して脱離不能に固着される固着部２７ｂを有しているため、本体ケース２２にインクパック２３をバランスよく安定して支持することができる。また、内側パック２６の容積減少に伴って外側パック２７に内側パック２６からの引っ張り力が作用する際には、力点となる接合部２７ｃに対して固着部２７ｂが支点となり、作用点となる取着部２７ａに対して引っ張り力を効果的に加えることができる。したがって、その引っ張り力により本体ケース２２の内面から外側パック２７の後端を容易に脱離させることができる。
【００３９】
（３）インクカートリッジ２１は、内側パック２６に該内側パック２６内からインクを導出するための導出口２６ａが本体ケース２２の後壁を貫通する支持態様となるように設けられており、取着部２７ａは固着部２７ｂよりも導出口２６ａに近い側に位置している。このため、内側パック２６内のインクの残量が所定量以下（僅かな量）になったときには、インクパック２３は少なくとも導出口２６ａから遠い側が大きく潰れた状態となっているため、導出口２６ａから内側パック２６内のインクを円滑に導出させることができる。
【００４０】
（変更例）
なお、上記実施形態は以下のように変更してもよい。
・図５に示すように、取着部２７ａを内側パック２６に連結部材３０を介して連結するようにしてもよい。このようにすれば、内側パック２６の容積減少に伴う引っ張り力が連結部材３０を介して取着部２７ａに伝達されて、該取着部２７ａが本体ケース２２から脱離される。このため、連結部材３０の長さを変更することで、取着部２７ａが本体ケース２２から脱離されるタイミングを自由に調節することができる。
【００４１】
・図６に示すように、外側パック２７の前後方向の長さを短くして、取着部２７ａが本体ケース２２の前後方向の中央部に位置するようにしてもよい。
・図７に示すように、インクカートリッジ２１内において外側パック２７を図２に示した実施形態の場合とは前後方向において逆向きとなるように配設してもよい。すなわち、取着部２７ａが固着部２７ｂよりも導出口２６ａから遠い側に位置するようにしてもよい。このようにすれば、製品としてのインクカートリッジ２１の設計の自由度を増すことができる。
【００４２】
・図８に示すように、インクカートリッジ２１は、内側パック２６の前端部と固着部２７ｂとが離間するようにしてもよい。
・上記実施形態において、本体ケース２２はインクパック２３を支持した状態でカートリッジホルダ２０にインクカートリッジ２１を装着できる形態のものであればよく、必ずしも箱体形状をなしていなくてよい。例えば、枠体形状の本体ケース２２であってもよい。
【００４３】
・上記実施形態では、液体噴射装置をインクジェット式プリンタ１１として具体化したが、例えば、液晶ディスプレイ等のカラーフィルタの製造や、有機ＥＬディスプレイ等の画素形成に利用される液体噴射装置であってもよい。また、そうした液体噴射装置において噴射される液体としては、インク以外の他の液体（機能材料の粒子が分散されている液状体を含む）であってもよい。例えば基板などをエッチングするために該基板上に液体を噴射する液体噴射装置にあっては、液体としてエッチング液を噴射するものであってもよい。
【図面の簡単な説明】
【００４４】
【図１】実施形態のインクジェット式プリンタの平面図。
【図２】同プリンタに装着されるインクカートリッジの断面図。
【図３】同インクカートリッジのインクがある程度消費された状態を示す断面図。
【図４】同インクカートリッジのインクが残り僅かな量になった状態を示す断面図。
【図５】変更例のインクカートリッジの断面図。
【図６】変更例のインクカートリッジの断面図。
【図７】変更例のインクカートリッジの断面図。
【図８】変更例のインクカートリッジの断面図。
【符号の説明】
【００４５】
１１…液体噴射装置としてのインクジェット式プリンタ、１８…液体噴射ヘッドとしての記録ヘッド、２１…液体収容体としてのインクカートリッジ、２２…本体ケース、２３…液体収容部材としてのインクパック、２６…第１可撓性部材としての内側パック、２６ａ…導出口、２７…第２可撓性部材としての外側パック、２７ａ…取着部、２７ｂ…固着部、２７ｃ…接合部、３０…連結部材。
【図１】
2008012762.tif 000003
【図２】
2008012762.tif 000004
【図３】
2008012762.tif 000005
【図４】
2008012762.tif 000006
【図５】
2008012762.tif 000007
【図６】
2008012762.tif 000008
【図７】
2008012762.tif 000009
【図８】
2008012762.tif 000010